(57)【要約】      （修正有）【課題】周囲に排気することなく、清掃の作業性を向上させた実験動物等を収納するケージを収納するケージ収納ラックを提供する。【解決手段】ケージ収納ラック１００の前面扉１が、前面扉１の外周に配設された扉枠部材１１と、扉枠部材の内側に係止されて、複数個の孔からなる第１排気口１２１を有する平板状の部材である第１前面板１２と、第１前面板１２と対向する位置に配設された平板状の部材である第２前面板１３と、を備え、第１前面板１２及び第２前面板１３が、第１前面板１２と第２前面板１３との間の空気のケージ収納ラック１００外への流出を防止するべく、扉枠部材１１に嵌合されて係止されており、第２前面板１３が、前面扉１に対して、開閉自在に構成されている。【選択図】図１
0003154647.tif 000002
【実用新案登録請求の範囲】
【請求項１】
実験用動物を収納する複数個のケージを収納するケージ収納ラックであって、
該ケージ収納ラックの背面側に配設され、前記複数個のケージに対して、略均一に清浄な空気を供給する給気手段と、
該ケージ収納ラックの前面側に配設され、開閉自在に構成された前面扉と、
該ケージ収納ラックの前面側に配設され、前記前面扉を介して該ケージ収納ラック内の空気を略均一に排出する排気手段と、を備え、
前記前面扉は、該前面扉の外周に配設された枠部材と、
前記枠部材の内側に係止されて、複数個の孔からなる第１排気口を有する平板状の部材である第１前面板と、
前記第１前面板と対向する位置に配設された平板状の部材である第２前面板と、
前記第１前面板と前記第２前面板との間の前記第１排気口を介して流入した空気を排出する第２排気口と、を備え、
前記第１前面板及び前記第２前面板は、前記第１前面板と前記第２前面板との間の空気の該ケージ収納ラック外への流出を防止するべく、前記枠部材に嵌合されて係止されており、
前記第１前面板及び前記第２前面板の少なくとも一方は、前記前面扉に対して、開閉自在に構成されている、ケージ収納ラック。
【請求項２】
前記第１前面板及び前記第２前面板の少なくとも一方は、その左右いずれか一方の端面が、前記前面扉の外周に配設された前記枠部材の内、左右いずれか一方の前記枠部材に回動自在に係止されている、請求項１に記載のケージ収納ラック。
【請求項３】
前記第１前面板及び前記第２前面板は、透明なアクリル板からなる、請求項１に記載のケージ収納ラック。
【請求項４】
前記給気手段は、
該ケージ収納ラックの背面側の内側に配設され、複数個の孔からなる給気口を有する平板状の部材である背面板を備え、
前記給気口を介して該ケージ収納ラック内に清浄な空気を供給する、請求項１に記載のケージ収納ラック。
【請求項５】
前記複数個のケージを載置可能に構成された棚を備え、
前記給気口は、前記棚に載置されたケージの上方に形成されている、請求項４に記載のケージ収納ラック。
【請求項６】
前記第１排気口は、前記棚に載置されたケージの高さ方向の略中央位置に形成されている、請求項５に記載のケージ収納ラック。
【請求項７】
前記第２排気口は、前記枠部材の上部に配設され、中空の枠部材である上部枠部材の下面側に形成された複数個の孔からなる、請求項１に記載のケージ収納ラック。
【請求項８】
前記排気手段は、該ケージ収納ラック本体の上部に配設された排気ダンパを備え、
前記上部枠部材は、該上部枠部材の上面側に形成された複数個の孔からなる第３排気口を備え、
前記排気ダンパは、前記ケージ収納ラック内から前記第２排気口を介して該上部枠部材内へ排出された空気を、前記第３排気口を介して排出する、請求項７に記載のケージ収納ラック。
【考案の詳細な説明】
【技術分野】
【０００１】
本考案は、例えば、実験用動物を収納する複数個のケージを収納するケージ収納ラックに関する。
【背景技術】
【０００２】
従来、ケージ内の動物へは清浄な空気を供給する必要があるため、清浄な空気を供給する機構を備えた種々のケージ収納ラックが提案されている。例えば、医療研究用マウスなどの小動物を飼育する飼育箱を複数、多段に収容する棚の各段の前面に開閉扉を設けると共にその棚の後方に除菌エア供給手段を設けた小動物飼育装置において、上記開閉扉が棚の前面を塞ぐ遮蔽部と、遮蔽部から後方へ延びて先端部を水平軸回り回動自在に支持されるアームとからなり、アームの先端部を中心に上方へ回動することにより遮蔽部を天井部の下方に収納して棚の前面を開放するようにしたものが開示されている（特許文献１参照）。特許文献１に記載の小動物飼育装置によれば、開閉扉の開閉を容易に行うことで作業性を向上でき、かつ、内部の清掃を安全かつ確実に行うことができる。
【先行技術文献】
【特許文献】
【０００３】
【特許文献１】特開２０００−６０８７２号公報
【考案の概要】
【考案が解決しようとする課題】
【０００４】
しかしながら、特許文献１に記載の小動物飼育装置等の従来のケージ収納ラックでは、遮蔽部と棚板との隙間から周囲に排気されるため、排気に含まれる臭気、塵埃等が周囲に漏洩する虞がある。一方、周囲に排気しない構造とすると、排気に含まれる塵埃等がケージ収納ラック内に堆積し、清掃に要する手間が増大する虞がある。
【０００５】
本考案は、上記事情に鑑みてなされたものであって、周囲に排気することなく、清掃の作業性の良好なケージ収納ラックを提供することを目的としている。
【課題を解決するための手段】
【０００６】
上記目的を達成するために、本考案は、以下の特徴を有している。第１の考案は、実験用動物を収納する複数個のケージを収納するケージ収納ラックであって、該ケージ収納ラックの背面側に配設され、前記複数個のケージに対して、略均一に清浄な空気を供給する給気手段と、該ケージ収納ラックの前面側に配設され、開閉自在に構成された前面扉と、該ケージ収納ラックの前面側に配設され、前記前面扉を介して該ケージ収納ラック内の空気を略均一に排出する排気手段と、を備え、前記前面扉が、該前面扉の外周に配設された枠部材と、前記枠部材の内側に係止されて、複数個の孔からなる第１排気口を有する平板状の部材である第１前面板と、前記第１前面板と対向する位置に配設された平板状の部材である第２前面板と、前記第１前面板と前記第２前面板との間の前記第１排気口を介して流入した空気を排出する第２排気口と、を備え、前記第１前面板及び前記第２前面板が、前記第１前面板と前記第２前面板との間の空気の該ケージ収納ラック外への流出を防止するべく、前記枠部材に嵌合されて係止されており、前記第１前面板及び前記第２前面板の少なくとも一方が、前記前面扉に対して、開閉自在に構成されている。
【０００７】
第２の考案は、上記第１の考案において、前記第１前面板及び前記第２前面板の少なくとも一方は、その左右いずれか一方の端面が、一方の端面が前記前面扉の外周に配設された前記枠部材の内、左右いずれか一方の前記枠部材に回動自在に係止されている。
【０００８】
第３の考案は、上記第１の考案において、前記第１前面板及び前記第２前面板が、透明なアクリル板からなる。
【０００９】
第４の考案は、上記第１の考案において、前記給気手段が、該ケージ収納ラックの背面側の内側に配設され、複数個の孔からなる給気口を有する平板状の部材である背面板を備え、前記給気口を介して該ケージ収納ラック内に清浄な空気を供給する。
【００１０】
第５の考案は、上記第４の考案において、前記複数個のケージを載置可能に構成された棚を備え、前記給気口が、前記棚に載置されたケージの上方に形成されている。
【００１１】
第６の考案は、上記第５の考案において、前記第１排気口が、前記棚に載置されたケージの高さ方向の略中央位置に形成されている。
【００１２】
第７の考案は、上記第１の考案において、前記第２排気口が、前記枠部材の上部に配設され、中空の枠部材である上部枠部材の下面側に形成された複数個の孔からなる。
【００１３】
第８の考案は、上記第７の考案において、前記排気手段が、該ケージ収納ラック本体の上部に配設された排気ダンパを備え、前記上部枠部材が、該上部枠部材の上面側に形成された複数個の孔からなる第３排気口を備え、前記排気ダンパが、前記ケージ収納ラック内から前記第２排気口を介して該上部枠部材内へ排出された空気を、前記第３排気口を介して排出する。
【考案の効果】
【００１４】
上記第１の考案によれば、ケージ収納ラックの背面側に配設された給気手段によって、複数個のケージに対して、略均一に清浄な空気が供給される。また、該ケージ収納ラックの前面側に配設され、開閉自在に構成された前面扉を備えており、該ケージ収納ラックの前面側に配設された排気手段によって、前記前面扉を介して該ケージ収納ラック内の空気が略均一に排出される。
【００１５】
ここで、前記前面扉が、該前面扉の外周に配設された枠部材と、前記枠部材の内側に係止されて、複数個の孔からなる第１排気口を有する平板状の部材である第１前面板と、前記第１前面板と対向する位置に配設された平板状の部材である第２前面板と、前記第１前面板と前記第２前面板との間の前記第１排気口を介して流入した空気を排出する第２排気口と、を備えている。従って、該ケージ収納ラック内の空気は、第１前面板に形成された複数個の孔からなる第１排気口を介して、前記第１前面板と前記第２前面板との間に流入し、前記排気手段によって第２排気口を介して排出される。
【００１６】
また、前記第１前面板及び前記第２前面板が、前記第１前面板と前記第２前面板との間の空気の該ケージ収納ラック外への流出を防止するべく、前記枠部材に嵌合されて係止されているため、周囲に排気されることはない。
【００１７】
更に、前記第１前面板及び前記第２前面板の少なくとも一方が、前記前面扉に対して、開閉自在に構成されているため、清掃の作業性を良好とすることができる。すなわち、前記第１前面板及び前記第２前面板の少なくとも一方を開いて清掃を行うことができるので、清掃の作業性を良好とすることができるのである。
【００１８】
上記第２の考案によれば、前記第１前面板及び前記第２前面板の少なくとも一方は、その左右いずれか一方の端面が、前記前面扉の外周に配設された前記枠部材の内、左右いずれか一方の前記枠部材に回動自在に係止されている。従って、簡素な構成で清掃の作業性を良好とすることができる。
【００１９】
上記第３の考案によれば、前記第１前面板及び前記第２前面板が、アクリル板からなるため、前記前面扉を軽量とすることができるので、更に清掃の作業性を良好とすることができる。また、前記第１前面板及び前記第２前面板が透明であるため、ケージ内に収納された実験用動物の観察が容易となると共に、前記第１前面板及び前記第２前面板等の塵埃の付着状態が容易に視認可能となる。
【００２０】
上記第４の考案によれば、前記給気手段が、該ケージ収納ラックの背面側の内側に配設され、複数個の孔からなる給気口を有する平板状の部材である背面板を備え、前記給気口を介して該ケージ収納ラック内に清浄な空気を供給する。従って、前記給気口を構成する前記複数個の孔を適正な位置に、適正な大きさで形成することによって、簡素な構成で、略均一に清浄な空気を供給することができる。
【００２１】
上記第５の考案によれば、前記複数個のケージを載置可能に構成された棚を備え、前記給気口が、前記棚に載置されたケージの上方に形成されている。従って、前記棚に載置されたケージ及び該ケージ内に収納された実験用動物によって、気流が乱されることを抑制することができるので、安定した気流で清浄な空気を供給することができる。
【００２２】
上記第６の考案によれば、前記第１排気口が、前記棚に載置されたケージの高さ方向の略中央位置に形成されている。従って、背面側から前面側へ、前記棚に載置されたケージの上面に沿って、安定した気流を形成ことができる。また、ケージ内に収納された実験用動物に効率的に清浄な空気を供給することができる。
【００２３】
上記第７の考案によれば、前記第２排気口が、前記枠部材の上部に配設され、中空の枠部材である上部枠部材の下面側に形成された複数個の孔からなるため、簡素な構成で前記第２排気口を形成することができる。
【００２４】
上記第８の考案によれば、排気ダンパが、該ケージ収納ラック本体の上部に配設され、複数個の孔からなる第３排気口が、前記上部枠部材の上面側に形成されている。そして、前記排気ダンパによって、前記ケージ収納ラック内から前記第２排気口を介して該上部枠部材内へ排出された空気が、前記第３排気口を介して排出される。従って、前記ケージ収納ラック内から前記第２排気口を介して該上部枠部材内へ排出された空気を、簡素な構成で排出することができる。
【図面の簡単な説明】
【００２５】
【図１】本発明に係るケージ収納ラックの一例を示す正面図
【図２】本発明に係るケージ収納ラックにおいて前面扉を開放した状態の一例を示す正面図
【図３】本発明に係るケージ収納ラックの一例を示す上面図
【図４】本発明に係るケージ収納ラックの一例を示す透視側面図
【考案を実施するための形態】
【００２６】
以下、図面を参照して本考案に係るケージ収納ラック１００の実施形態について説明する。図１は、ケージ収納ラック１００の一例を示す正面図である。図２は、ケージ収納ラック１００において前面扉１を開放した状態の一例を示す正面図である。図３は、ケージ収納ラック１００の一例を示す上面図である。図４は、ケージ収納ラック１００の一例を示す透視側面図である。
【００２７】
図３、図４に示すように、ケージ収納ラック１００は、前面扉１及びラック本体２を備えている。図１に示すように、前面扉１は、ラック本体２の前面側に左右端に配設された蝶番１１２を介して、回動自在に係止されている。
【００２８】
まず、ラック本体２の構成について図２〜図４を参照して説明する。ラック本体２は、実験用動物を収納する複数個のケージ３を収納するものであって、図２等に示すように、前面側が開放された箱状に、例えば、ＳＵＳ３０４等のステンレス製の板材が、ＳＵＳ３０４等のステンレス製の角パイプ等からなる本体枠部材２１に溶接されて形成されている。また、図４等に示すように、ラック本体２の上部には、背面側の幅方向略中央位置に給気ダンパ２４が配設され、前面側の幅方向略中央位置に排気ダンパ２７が配設されている。給気ダンパ２４は、外部から（ここでは、上方から）図略の給気ダクトを介して供給される清浄な空気の供給量（又は、圧力）を調整するものである。排気ダンパ２７は、外部へ（ここでは、上方へ）図略の排気ダクトを介して排出される排気の排気量（又は、圧力）を調整するものである。
【００２９】
また、図３、図４に示すように、排気ダンパ２７は、本体枠部材２１の上部に形成された排気貯留部２６（図の斜線部）の上面側から排気可能に構成されている。排気貯留部２６は、ＳＵＳ３０４等のステンレス製の板材によって囲まれた直方体状の空間であって、排気を一時的に貯留するものである。排気貯留部２６には、排気貯留部２６の上部の左右両端部位置に１箇所ずつ形成された第４排気口２６Ａを介して、前面扉１（上部枠部材１１１）からの排気が流入する。第４排気口２６Ａは、それぞれ、例えば、直径４０ｍｍの円形の孔である。なお、図４に示す矢印ＦＶは、空気の流れの方向を示すものである。図４に矢印ＦＶで示すように、排気貯留部２６には、連結チューブ１４（ここでは、便宜上破線で示す：図３参照）を介して、前面扉１（上部枠部材１１１）からの排気が流入する。
【００３０】
更に、図３、図４に示すように、ラック本体２の背面側には、第１背面板２２、第２背面板２３が対向して配設されている。第１背面板２２は、ＳＵＳ３０４等のステンレス製の板材であって、ラック本体２の最背面の位置に溶接等で本体枠部材２１に固定されている。第２背面板２３（背面板に相当する）は、ＳＵＳ３０４等のステンレス製の板材であって、第１背面板２２から予め設定された所定距離（例えば、１００ｍｍ）だけ内側に離間した位置位置に溶接等で固定されている。また、第２背面板２３には、複数個の孔からなる給気口２３１が形成されている。なお、ここでは、各孔は、例えば、直径１０ｍｍの円形であって、幅方向に直線上に配列されている。
【００３１】
また、図２、図４に示すように、ラック本体２には、ＳＵＳ３０４等のステンレス製の板材でからなり、複数個のケージ３を載置可能に構成された棚２５が、溶接等で本体枠部材２１に固定されている。ここでは、６個のケージ３を載置可能な棚２５が６段だけ配設されている。また、第２背面板２３の給気口２３１は、各棚２５に載置されたケージ３の上方に形成されている。
【００３２】
図４に矢印ＦＶで示すように、給気ダンパ２４を介して、第１背面板２２と第２背面板２３との間に供給され清浄な空気は、第１背面板２２と第２背面板２３との間の空間を下降し、給気口２３１（図２参照）を介してケージ収納ラック１００（ラック本体２）内に供給される。
【００３３】
このようにして、複数個の孔からなる給気口２３１を介してケージ収納ラック１００（ラック本体２）内に清浄な空気が供給されるため、給気口２３１を構成する複数個の孔を適正な位置に、適正な大きさで形成することによって、簡素な構成で、略均一に清浄な空気を供給することができる。
【００３４】
また、給気口２３１が、各棚２５に載置されたケージ３の上方に形成されているため、棚２５に載置されたケージ３及びケージ３内に収納された実験用動物によって、気流が乱されることを抑制することができるので、安定した気流で清浄な空気を供給することができる。
【００３５】
次に、前面扉１の構成について図１〜図４を参照して説明する。図１に示すように、前面扉１は、例えば、ＳＵＳ３０４等のステンレス製の角パイプが溶接されて構成された扉枠部材１１を備えている。ここで、図１、図４に示すように、扉枠部材１１（枠部材に相当する）は、蝶番１１２を介して、ラック本体２に回動自在に係止されている。また、図１、図４に示すように、扉枠部材１１には、実験者等によって把持される取っ手１１３が溶接等で係止されている。ここでは、前面扉１は、いわゆる観音開きが可能に構成され、実験者等は、取っ手１１３を把持して、図１の手前側に引くことによって、前面扉１を開くことができる。
【００３６】
また、図１、図３、図４に示すように、前面扉１は、扉枠部材１１に嵌合されて係止された平板状の部材である第１前面板１２、及び、第２前面板１３を備えている。ここで、第１前面板１２及び第２前面板１３は、透明なアクリル板からなるものである。図３、図４に示すように、第１前面板１２は、扉枠部材１１の内側（＝ラック本体２側）に係止されて、複数個の孔からなる第１排気口１２１を有している。なお、ここでは、各孔は、例えば、直径１０ｍｍの円形であって、幅方向に直線上に配列されている。図１、図４に示すように、第１排気口１２１は、ラック本体２内部の空気を、第１前面板１２と第２前面板１３との間に形成された空間へ排出するものである。
【００３７】
また、図１に示すように、第１前面板１２の第１排気口１２１は、棚２５に載置されたケージ３の高さ方向の略中央位置に形成されている。従って、図４に矢印ＦＶで示すように、給気口２３１（図２参照）を介してケージ収納ラック１００（ラック本体２）内に供給された清浄な空気給気は、各棚２５に載置されたケージ３の上面に沿って、背面側から前面側への気流を形成する。
【００３８】
このようにして、給気口２３１が、各棚２５に載置されたケージ３の上方に形成されており、第１排気口１２１が、棚２５に載置されたケージ３の高さ方向の略中央位置に形成されているため、背面側から前面側へ、棚２５に載置されたケージ３の上面に沿って、安定した気流を形成ことができる。また、各ケージ３内に収納された実験用動物に効率的に清浄な空気を供給することができる。
【００３９】
また、第１前面板１２及び第２前面板１３が、アクリル板からなるため、前面扉１を軽量とすることができる。また、第１前面板１２及び第２前面板１３が透明であるため、ケージ３内に収納された実験用動物の観察が容易となると共に、第１前面板１２及び第２前面板１３等の塵埃の付着状態が容易に視認可能となる。
【００４０】
更に、図１に示すように、第２前面板１３は、左右いずれか一方の端面が前面扉１の外周に配設された扉枠部材１１の内、左右いずれか一方の扉枠部材１１に回動自在に係止されている。具体的には、右側の第２前面板１３は、該第２前面板１３の右側の端面が前面扉１の外周に配設された右側の扉枠部材１１に、蝶番１３１を介して回動自在に係止されている。また、左側の第２前面板１３は、該第２前面板１３の左側の端面が前面扉１の外周に配設された左側の扉枠部材１１に蝶番１３１を介して回動自在に係止されている。また、第２前面板１３の蝶番１３１に係合された端面と対向する側の端面は、ラッチ１３２を介して、扉枠部材１１に係止されている。
【００４１】
このようにして、第２前面板１３の左右いずれか一方の端面が、前面扉１の外周に配設された扉枠部材１１の内、左右いずれか一方の扉枠部材１１に回動自在に係止されているため、簡素な構成で清掃の作業性を良好とすることができる。
【００４２】
すなわち、作業者は、前面扉１を閉じた状態で、ラッチ１３２を外した後、第２前面板１３のラッチ１３２で固定されていた側の端面を把持して、手前側に引くことによって、第２前面板１３を、蝶番１３１を中心として回動させることができる。従って、第１前面板１２と第２前面板１３との間に堆積した（又は付着した）塵埃を容易に除去することができるのである。
【００４３】
また、図３に示すように、扉枠部材１１の上部に配設され、中空の枠部材である上部枠部材１１１の下面側には、複数個の孔からなる第２排気口１１１Ａが形成されている。なお、ここでは、各孔は、例えば、直径１０ｍｍの円形であって、幅方向に直線上に配列されている。図４に矢印ＦＶで示すように、第２排気口１１１Ａは、第１前面板１２と第２前面板１３との間に形成された空間内の排気を、上部枠部材１１１の内部へ排出するものである。
【００４４】
更に、扉枠部材１１の上部に配設され、中空の枠部材である上部枠部材１１１の上面側に、複数個（ここでは、２個）の孔からなる第３排気口１１１Ｂが形成されている。第３排気口１１１Ｂは、上部枠部材１１１の両端部位置にそれぞれ１箇所形成されている。なお、ここでは、各孔は、例えば、直径４０ｍｍの円形である。第３排気口１１１Ｂは、連結チューブ１４（ここでは、便宜上破線で示す：図３参照）を介して、排気貯留部２６に接続されている。連結チューブ１４は、例えば、軟質ビニールからなるチューブである。
【００４５】
すなわち、図４に矢印ＦＶで示すように、上部枠部材１１１の内部に流入した排気は、第３排気口１１１Ｂ、連結チューブ１４及び第４排気口２６Ａを介して、排気貯留部２６に流入する。そして、排気貯留部２６に流入した排気は、排気ダンパ２７を介して外部に排出される。
【００４６】
このようにして、第２排気口１１１Ａが、扉枠部材１１の上部に配設され、中空の枠部材である上部枠部材１１１の下面側に形成された複数個の孔からなるため、簡素な構成で第２排気口１１１Ａを形成することができる。
【００４７】
また、排気ダンパ２７によって、ケージ収納ラック１００（ラック本体２）内から第２排気口１１１Ａを介して上部枠部材１１１内へ排出された空気が、第３排気口１１１Ｂを介して排出されるため、上部枠部材１１１内へ排出された空気を、簡素な構成で排出することができる。
【００４８】
上記実施形態においては、給気手段は、給気ダンパ２４、第１背面板２２、第２背面板２３等に相当し、排気手段は、連結チューブ１４、排気貯留部２６、排気ダンパ２７等に相当する。
【００４９】
なお、本考案に係るケージ収納ラックは、上記実施形態に係るケージ収納ラック１００に限定されず、下記の形態でも良い。
（Ａ）本実施形態においては、第２前面板１３が、前面扉１に対して開閉自在に構成されている場合について説明したが、第１前面板１２及び第２前面板１３の少なくとも一方が、前面扉１に対して開閉自在に構成されている形態であれば良い。すなわち、第１前面板１２が、前面扉１に対して開閉自在に構成されている形態でも良いし、第１前面板１２及び第２前面板１３が、前面扉１に対して開閉自在に構成されている形態でも良い。
【００５０】
（Ｂ）本実施形態においては、第２前面板１３が、蝶番１３１を介して扉枠部材１１に回動自在に係止されている場合について説明したが、第２前面板１３が、その他の方法で扉枠部材１１に開閉自在に係止されている形態でも良い。例えば、第２前面板１３が、ゴム等の弾性部材を介して、扉枠部材１１に回動自在に係止されている形態でも良い。
【００５１】
（Ｃ）本実施形態においては、第２前面板１３が、ラッチ１３２を介して扉枠部材１１に係止されている場合について説明したが、第２前面板１３が、その他の方法で扉枠部材１１に係止されている形態でも良い。例えば、第２前面板１３が、マジックテープ（登録商標）等の面ファスナを介して、扉枠部材１１に係止されている形態でも良い。
【産業上の利用可能性】
【００５２】
本考案は、例えば、実験用動物を収納する複数個のケージを収納するケージ収納ラックに適用することができる。
【符号の説明】
【００５３】
１００    ケージ収納ラック
１    前面扉
１１    扉枠部材（枠部材）
１１１    上部枠部材
１１１Ａ    第２排気口
１１１Ｂ    第３排気口
１１２    蝶番
１１３    取っ手
１２    第１前面板
１２１    第１排気口
１３    第２前面板
１３１    蝶番
１３２    ラッチ
１４    連結チューブ
２    ラック本体（ケージ収納ラック本体）
２１    本体枠部材
２２    第１背面板
２３    第２背面板（背面板）
２３１    給気口
２４    給気ダンパ
２５    棚
２６    排気貯留部
２７    排気ダンパ
３    ケージ
【図１】
0003154647.tif 000003
【図２】
0003154647.tif 000004
【図３】
0003154647.tif 000005
【図４】
0003154647.tif 000006